(57)【要約】【課題】画像のサイズと当該画像が記録されるシートのサイズとに応じた適切な大きさのインク滴を吐出可能なインクジェット記録装置を提供する。【解決手段】当該装置は、第１シートサイズ及び第２シートサイズが一致することに応じて（Ｓ３５：Ｎｏ＆Ｓ３８：Ｎｏ）、シート領域へ第１インクサイズのインク滴を吐出させ、はみ出し領域へ第１インクサイズより大きい第２インクサイズのインク滴を吐出させ（Ｓ３７＆Ｓ４０）、第２シートサイズが第１シートサイズより大きいことに応じて（Ｓ３５：Ｙｅｓ＆Ｓ３８：Ｙｅｓ）、シート領域及びはみ出し領域それぞれへ第１インクサイズのインク滴を吐出させる（Ｓ３６＆Ｓ３９）。【選択図】図６
2015189073.tif 000002
【特許請求の範囲】
【請求項１】
シートを搬送し、搬送したシートにインク滴を吐出して画像を記録するプリンタ部と、
上記プリンタ部の動作を制御する制御部と、を備えており、
上記制御部は、
インク滴を着弾させる着弾位置を示す画像データ、及び上記画像データで示される画像が記録されるべきシートの第１シートサイズを取得する第１取得処理と、
上記プリンタ部によって画像が記録されるシートの第２シートサイズを取得する第２取得処理と、
上記着弾位置へインク滴を上記プリンタ部に吐出させることによって、シートに画像を記録する記録処理と、を実行し、
上記画像データは、上記第１シートサイズのシート領域、及び上記シート領域の外側のはみ出し領域それぞれの上記着弾位置を示し、
上記制御部は、上記記録処理において上記プリンタ部に、
上記第１シートサイズ及び上記第２シートサイズが一致することに応じて、上記シート領域へ第１インクサイズのインク滴を吐出させ、上記はみ出し領域へ上記第１インクサイズより大きい第２インクサイズのインク滴を吐出させ、
上記第２シートサイズが上記第１シートサイズより大きいことに応じて、上記シート領域及び上記はみ出し領域それぞれへ上記第１インクサイズのインク滴を吐出させるインクジェット記録装置。
【請求項２】
上記はみ出し領域は、
シートの搬送向きにおける上記シート領域の下流側に隣接する下流側領域と、
上記搬送向きと交差する幅方向において上記シート領域と隣接する幅側領域とを含み、
上記制御部は、
上記搬送向きにおける上記シート領域の下流側の端部に着弾させるインク滴を吐出するノズルに対面する位置に、上記搬送向きにおけるシートの下流側の端部が到達するまで、当該シートを上記プリンタ部に搬送させる頭出し処理と、
上記頭出し処理において搬送されたシートに対する上記記録処理と、を実行し、
上記記録処理において上記プリンタ部に、
上記第１シートサイズ及び上記第２シートサイズの上記幅方向の長さが一致することに応じて、上記下流側領域及び上記幅側領域へ上記第２インクサイズのインク滴を吐出させ、
上記第２シートサイズの上記幅方向の長さが上記第１シートサイズの上記幅方向の長さより長いことに応じて、上記下流側領域へ上記第２インクサイズのインク滴を吐出させ、上記幅側領域へ上記第１インクサイズのインク滴を吐出させる請求項１に記載のインクジェット記録装置。
【請求項３】
上記はみ出し領域は、上記搬送向きにおける上記シート領域の上流側に隣接する上流側領域を含み、
上記制御部は、上記記録処理において上記プリンタ部に、
上記第１シートサイズ及び上記第２シートサイズの上記搬送向きの長さが一致することに応じて、上記上流側領域へ上記第２インクサイズのインク滴を吐出させ、
上記第２シートサイズの上記搬送向きの長さが上記第１シートサイズの上記搬送向きの長さより長いことに応じて、上記上流側領域へ上記第１インクサイズのインク滴を吐出させる請求項２に記載のインクジェット記録装置。
【請求項４】
上記画像データは、上記シート領域の上記着弾位置に上記第１インクサイズのインク滴を着弾させ、上記はみ出し領域の上記着弾位置に上記第２インクサイズのインク滴を着弾させることを示し、
上記制御部は、上記記録処理において上記プリンタ部に、
上記第１シートサイズ及び上記第２シートサイズが一致することに応じて、上記画像データで示される大きさのインク滴を吐出させ、
上記第２シートサイズが上記第１シートサイズより大きいことに応じて、上記画像データで示される上記はみ出し領域のインク滴の大きさを上記第１インクサイズに補正して吐出させる請求項１から３のいずれかに記載のインクジェット記録装置。
【請求項５】
上記制御部は、
上記着弾位置へ吐出するインク滴の大きさを決定する決定処理と、
上記決定処理において決定した大きさのインク滴を上記プリンタ部に吐出させる上記記録処理と、を実行し、
上記決定処理において、
上記第１シートサイズ及び上記第２シートサイズが一致することに応じて、上記シート領域へ吐出するインク滴を第１インクサイズに決定し、上記はみ出し領域へ吐出するインク滴を上記第２インクサイズに決定し、
上記第２シートサイズが上記第１シートサイズより大きいことに応じて、上記シート領域及び上記はみ出し領域それぞれへ吐出するインク滴を上記第１インクサイズに決定する請求項１から４のいずれかに記載のインクジェット記録装置。
【請求項６】
シートにインク滴を吐出して画像を記録するプリンタ部と、
上記プリンタ部の動作を制御する制御部と、を備えており、
上記制御部は、
インク滴を着弾させる着弾位置を示す画像データ、及び上記画像データで示される画像が記録されるべきシートの第１シートサイズを取得する第１取得処理と、
上記プリンタ部によって画像が記録されるシートの第２シートサイズを取得する第２取得処理と、
第１濃度未満の画像が記録される上記着弾位置に第１インクサイズのインク滴を、上記第１濃度以上の画像が記録される上記着弾位置に上記第１インクサイズより大きい第２インクサイズのインク滴を、上記プリンタ部に吐出させることによって、シートに画像を記録する記録処理と、を実行し、
上記画像データは、上記第１シートサイズのシート領域、及び上記シート領域の外側のはみ出し領域それぞれの上記着弾位置を示し、
上記制御部は、上記記録処理において上記プリンタ部に、
上記第１シートサイズ及び上記第２シートサイズが一致することに応じて、上記シート領域へ画像の濃度に応じた大きさのインク滴を吐出させ、上記はみ出し領域へ上記第２インクサイズのインク滴を吐出させ、
上記第２シートサイズが上記第１シートサイズより大きいことに応じて、上記シート領域及び上記はみ出し領域それぞれへ画像の濃度に応じた大きさのインク滴を吐出させるインクジェット記録装置。
【請求項７】
シートにインク滴を吐出して画像を記録するプリンタ部を備えるコンピュータによって実行されるプログラムであって、
インク滴を着弾させる着弾位置を示す画像データ、及び上記画像データで示される画像が記録されるべきシートの第１シートサイズを取得する第１取得ステップと、
上記プリンタ部によって画像が記録されるシートの第２シートサイズを取得する第２取得ステップと、
上記着弾位置へインク滴を上記プリンタ部に吐出させることによって、シートに画像を記録する記録ステップと、を上記コンピュータに実行させ、
上記画像データは、上記第１シートサイズのシート領域、及び上記シート領域の外側のはみ出し領域それぞれの上記着弾位置を示し、
該プログラムは、上記記録ステップにおいて上記プリンタ部に、
上記第１シートサイズ及び上記第２シートサイズが一致することに応じて、上記シート領域へ第１インクサイズのインク滴を吐出させ、上記はみ出し領域へ上記第１インクサイズより大きい第２インクサイズのインク滴を吐出させ、
上記第２シートサイズが上記第１シートサイズより大きいことに応じて、上記シート領域及び上記はみ出し領域それぞれへ上記第１インクサイズのインク滴を吐出させるプログラム。
【請求項８】
インクジェット記録装置と通信する通信部を備えたコンピュータによって実行されるプログラムであって、
インク滴を着弾させる着弾位置、及び上記着弾位置へ吐出されるインク滴の大きさを示す画像データを生成する生成ステップと、
上記画像データを上記通信部を通じて上記インクジェット記録装置に出力する出力ステップと、を上記コンピュータに実行させ、
上記画像データは、第１シートサイズのシート領域、及び上記シート領域の外側のはみ出し領域それぞれの上記着弾位置、及び上記着弾位置へ吐出されるインク滴が第１インクサイズ及び上記第１インクサイズより大きい第２インクサイズのどちらであるかを示し、
上記インクジェット記録装置は、第２シートサイズのシートにインク滴を吐出することによって、上記画像データで示される画像を当該シートに記録し、
該プログラムは、上記生成ステップにおいて、
上記第１シートサイズ及び上記第２シートサイズが一致することに応じて、上記シート領域へ吐出されるインク滴の大きさを上記着弾位置に記録される画像の濃度に応じたサイズとし、上記はみ出し領域へ吐出されるインク滴の大きさを上記第２インクサイズとした上記画像データを生成し、
上記第２シートサイズが上記第１シートサイズより大きいことに応じて、上記シート領域及び上記は見出し領域へ吐出されるインク滴の大きさを上記着弾位置に記録される画像の濃度に応じたサイズとした上記画像データを生成するプログラム。
【発明の詳細な説明】
【技術分野】
【０００１】
本発明は、所謂縁無し印刷が可能なインクジェット記録装置に関する。
【背景技術】
【０００２】
従来より、シートの全面に画像を記録する（以下、「縁無し印刷」とも表記する。）機能を有するインクジェット記録装置が知られている。また、縁無し印刷において、シートサイズと同一のシート領域及びシート領域の外側のはみ出し領域を含む画像をシートに記録することにより、シートの搬送誤差や斜行によってシートに余白が生じるのを抑制したインクジェット記録装置も存在する。
【０００３】
近年、画像記録品質の向上等を目的として、インクジェット記録装置から吐出されるインク滴が微細化している。前述の縁無し印刷において、この微細なインク滴をはみ出し領域に向けて吐出すると、シートより遠い位置のプラテンに到達する前に当該インク滴がミスト化して、周辺に付着する可能性がある。そこで、例えば特許文献１には、シート領域へ向けて小サイズのインク滴を吐出し、はみ出し領域へ向けて大サイズのインク滴を吐出するインクジェット記録装置が開示されている。
【先行技術文献】
【特許文献】
【０００４】
【特許文献１】特開２００５−２２４０４号公報
【発明の概要】
【発明が解決しようとする課題】
【０００５】
縁無し印刷の適用例としては、例えば、葉書の通信面全体に画像を記録する場合が考えられる。上記の適用例において、ユーザは、実際の葉書に縁無し印刷を実行する前に、葉書より大きなサイズの用紙に試し印刷を行う場合がある。しかしながら、特許文献１に記載のインクジェット記録装置において、シート領域より大きなサイズのシートに対して縁無し印刷を行うと、インク滴の大きさの違いによって、シート領域とはみ出し領域との境界が目立ってしまう可能性がある。
【０００６】
本発明は、上記の事情に鑑みてなされたものであり、その目的は、所謂縁無し印刷において、画像のサイズと当該画像が記録されるシートのサイズとに応じた適切な大きさのインク滴を吐出可能なインクジェット記録装置を提供することにある。
【課題を解決するための手段】
【０００７】
本発明の一形態に係るインクジェット記録装置は、シートを搬送し、搬送したシートにインク滴を吐出して画像を記録するプリンタ部と、上記プリンタ部の動作を制御する制御部とを備える。上記制御部は、インク滴を着弾させる着弾位置を示す画像データ、及び上記画像データで示される画像が記録されるべきシートの第１シートサイズを取得する第１取得処理と、上記プリンタ部によって画像が記録されるシートの第２シートサイズを取得する第２取得処理と、上記着弾位置へインク滴を上記プリンタ部に吐出させることによって、シートに画像を記録する記録処理とを実行する。上記画像データは、上記第１シートサイズのシート領域、及び上記シート領域の外側のはみ出し領域それぞれの上記着弾位置を示す。そして、上記制御部は、上記記録処理において上記プリンタ部に、上記第１シートサイズ及び上記第２シートサイズが一致することに応じて、上記シート領域へ第１インクサイズのインク滴を吐出させ、上記はみ出し領域へ上記第１インクサイズより大きい第２インクサイズのインク滴を吐出させ、上記第２シートサイズが上記第１シートサイズより大きいことに応じて、上記シート領域及び上記はみ出し領域それぞれへ上記第１インクサイズのインク滴を吐出させる。
【０００８】
上記構成によれば、第１シートサイズ及び第２シートサイズが一致する場合、すなわち、はみ出し領域へ吐出されるインク滴の大部分がシートの外に着弾する場合において、はみ出し領域のインク滴サイズをシート領域のインク滴サイズより大きくする。これにより、はみ出し領域のインク滴のミスト化を抑制することができる。一方、第２シートサイズが第１シートサイズより大きい場合、すなわち、はみ出し領域へ吐出されるインク滴の大部分がシートに着弾する場合において、シート領域及びはみ出し領域のインク滴サイズを合わせる。これにより、シート領域とはみ出し領域との境界が目立つのを抑制することができる。
【０００９】
本発明の他の形態に係るインクジェット記録装置は、シートにインク滴を吐出して画像を記録するプリンタ部と、上記プリンタ部の動作を制御する制御部とを備える。上記制御部は、インク滴を着弾させる着弾位置を示す画像データ、及び上記画像データで示される画像が記録されるべきシートの第１シートサイズを取得する第１取得処理と、上記プリンタ部によって画像が記録されるシートの第２シートサイズを取得する第２取得処理と、第１濃度未満の画像が記録される上記着弾位置に第１インクサイズのインク滴を、上記第１濃度以上の画像が記録される上記着弾位置に上記第１インクサイズより大きい第２インクサイズのインク滴を、上記プリンタ部に吐出させることによって、シートに画像を記録する記録処理とを実行する。上記画像データは、上記第１シートサイズのシート領域、及び上記シート領域の外側のはみ出し領域それぞれの上記着弾位置を示す。そして、上記制御部は、上記記録処理において上記プリンタ部に、上記第１シートサイズ及び上記第２シートサイズが一致することに応じて、上記シート領域へ画像の濃度に応じた大きさのインク滴を吐出させ、上記はみ出し領域へ上記第２インクサイズのインク滴を吐出させ、上記第２シートサイズが上記第１シートサイズより大きいことに応じて、上記シート領域及び上記はみ出し領域それぞれへ画像の濃度に応じた大きさのインク滴を吐出させる。
【００１０】
本発明の一形態に係るプログラムは、シートにインク滴を吐出して画像を記録するプリンタ部を備えるコンピュータによって実行される。該プログラムは、インク滴を着弾させる着弾位置を示す画像データ、及び上記画像データで示される画像が記録されるべきシートの第１シートサイズを取得する第１取得ステップと、上記プリンタ部によって画像が記録されるシートの第２シートサイズを取得する第２取得ステップと、上記着弾位置へインク滴を上記プリンタ部に吐出させることによって、シートに画像を記録する記録ステップとを上記コンピュータに実行させる。上記画像データは、上記第１シートサイズのシート領域、及び上記シート領域の外側のはみ出し領域それぞれの上記着弾位置を示す。そして、該プログラムは、上記記録ステップにおいて上記プリンタ部に、上記第１シートサイズ及び上記第２シートサイズが一致することに応じて、上記シート領域へ第１インクサイズのインク滴を吐出させ、上記はみ出し領域へ上記第１インクサイズより大きい第２インクサイズのインク滴を吐出させ、上記第２シートサイズが上記第１シートサイズより大きいことに応じて、上記シート領域及び上記はみ出し領域それぞれへ上記第１インクサイズのインク滴を吐出させる。
【００１１】
本発明の他の形態に係るプログラムは、インクジェット記録装置と通信する通信部を備えたコンピュータによって実行される。該プログラムは、インク滴を着弾させる着弾位置、及び上記着弾位置へ吐出されるインク滴の大きさを示す画像データを生成する生成ステップと、上記画像データを上記通信部を通じて上記インクジェット記録装置に出力する出力ステップとを上記コンピュータに実行させる。上記画像データは、第１シートサイズのシート領域、及び上記シート領域の外側のはみ出し領域それぞれの上記着弾位置、及び上記着弾位置へ吐出されるインク滴が第１インクサイズ及び上記第１インクサイズより大きい第２インクサイズのどちらであるかを示す。上記インクジェット記録装置は、第２シートサイズのシートにインク滴を吐出することによって、上記画像データで示される画像を当該シートに記録する。そして、該プログラムは、上記生成ステップにおいて、上記第１シートサイズ及び上記第２シートサイズが一致することに応じて、上記シート領域へ吐出されるインク滴の大きさを上記着弾位置に記録される画像の濃度に応じたサイズとし、上記はみ出し領域へ吐出されるインク滴の大きさを上記第２インクサイズとした上記画像データを生成し、上記第２シートサイズが上記第１シートサイズより大きいことに応じて、上記シート領域及び上記は見出し領域へ吐出されるインク滴の大きさを上記着弾位置に記録される画像の濃度に応じたサイズとした上記画像データを生成する。
【発明の効果】
【００１２】
本発明によれば、第１シートサイズ及び第２シートサイズの大小関係に応じた適切なサイズのインク滴を吐出可能なインクジェット記録装置を得ることができる。
【図面の簡単な説明】
【００１３】
【図１】図１は、複合機１０の外観斜視図である。
【図２】図２は、プリンタ部１１の内部構造を模式的に示す縦断面図である。
【図３】図３は、キャリッジ２３及びガイドレール４３、４４の平面図である。
【図４】図４は、プリンタ部１１のブロック図である。
【図５】図５は、画像記録処理のフローチャートである。
【図６】図６は、インクサイズ決定処理のフローチャートである。
【図７】図７は、外部装置１５０から複合機１０に送信される記録指示を説明するための図であって、（Ａ）は記録指示のデータ構造を示し、（Ｂ）画像データ内の各領域を模式的に示す。
【図８】図８は、画像データ内の各着弾位置へ吐出されるインク滴の大きさを示す図であって、（Ａ）は下流側領域１５３が大玉で且つ幅側領域１５４、１５５が小玉に決定された例、（Ｂ）は下流側領域１５３及び幅側領域１５４、１５５が大玉に決定された例、（Ｃ）は幅側領域１５４、１５５及び上流側領域１５６が小玉に決定された例、（Ｄ）は幅側領域１５４、１５５及び上流側領域１５６が大玉に決定された例を示す。
【図９】図９は、変形例に係る画像記録処理のフローチャートである。
【図１０】図１０は、画像データ内の各着弾位置へ吐出されるインク滴の大きさを示す図であって、（Ａ）は下流側領域１５３及び幅側領域１５４、１５５が大玉に決定された例、（Ｂ）は下流側領域１５３が大玉で幅側領域１５４、１５５が濃度に応じたインク滴サイズに決定された例、（Ｃ）は幅側領域１５４、１５５及び上流側領域１５６が大玉に決定された例、（Ｄ）は幅側領域１５４、１５５及び上流側領域１５６が濃度に応じたインク適サイズに決定された例を示す。
【発明を実施するための形態】
【００１４】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、矢印の起点から終点に向かう進みが向きと表現され、矢印の起点と終点とを結ぶ線上の往来が方向と表現される。さらに、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００１５】
［複合機１０の全体構成］
複合機１０は、図１に示されるように、概ね直方体に形成されている。複合機１０は、下部にインクジェット記録方式で用紙１２（図２参照）に画像を記録するプリンタ部１１を有している。また、複合機１０は、ファクシミリ機能及びプリント機能などの各種の機能を有している。プリンタ部１１は、用紙１２を搬送し、且つ搬送した用紙１２にインク滴を吐出して画像を記録する。プリンタ部１１は、図２に示されるように、給送部１５と、給送トレイ２０（トレイの一例）と、排出トレイ２１と、搬送ローラ部５４と、記録部２４と、排出ローラ部５５と、プラテン４２とを備えている。複合機１０は、インクジェット記録装置の一例である。給送部１５、搬送ローラ部５４、及び排出ローラ部５５は、搬送部の一例である。
【００１６】
［給送トレイ２０、排出トレイ２１］
給送トレイ２０は、プリンタ部１１の正面に形成された開口１３（図１参照）を通じて前後方向８に挿抜される。給送トレイ２０には、給送部１５によって搬送路６５に給送される複数の用紙１２を支持可能である。排出トレイ２１は、正面に形成された開口１３を通じて排出ローラ部５５によって排出された用紙１２を支持する。
【００１７】
［給送部１５］
給送部１５は、図２に示されるように、給送ローラ２５と、給送アーム２６と、軸２７とを備えている。給送ローラ２５は、給送アーム２６の先端側に回転可能に支持されている。給送ローラ２５は、搬送モータ１０２（図４参照）の逆転によって、用紙１２を搬送向き１６に搬送する向き（すなわち、正回転）に回転する。給送アーム２６は、プリンタ部１１のフレームに支持された軸２７に回動可能に支持されている。給送アーム２６は、自重或いはバネ等による弾性力によって給送トレイ２０側へ回動付勢されている。
【００１８】
［搬送路６５］
搬送路６５は、図２に示されるように、その一部がプリンタ部１１の内部において、所定間隔で対向する外側ガイド部材１８及び内側ガイド部材１９によって形成される空間を指す。搬送路６５は、給送トレイ２０の後端部からプリンタ部１１の後方側に延びる経路である。また、搬送路６５は、プリンタ部１１の後方側において下方から上方に延びつつＵターンし、記録部２４を経て排出トレイ２１に至る経路である。なお、搬送路６５内における用紙１２の搬送向き１６は、図２において一点鎖線の矢印で示されている。
【００１９】
［搬送ローラ部５４］
搬送ローラ部５４は、図２に示されるように、記録部２４より搬送向き１６の上流側に配置されている。搬送ローラ部５４は、互いに対向する搬送ローラ６０及びピンチローラ６１を備える。搬送ローラ６０は、搬送モータ１０２によって駆動される。ピンチローラ６１は、搬送ローラ６０の回転に伴って連れ回る。用紙１２は、搬送モータ１０２の正転によって正回転する搬送ローラ６０及びピンチローラ６１に挟持されて搬送向き１６に搬送される。
【００２０】
［排出ローラ部５５］
排出ローラ部５５は、図２に示されるように、記録部２４より搬送向き１６の下流側に配置されている。排出ローラ部５５は、互いに対向する排出ローラ６２及び拍車６３を備える。排出ローラ６２は、搬送モータ１０２によって駆動される。拍車６３は、排出ローラ６２の回転に伴って連れ回る。用紙１２は、搬送モータ１０２の正転によって正回転する排出ローラ６２及び拍車６３に挟持されて搬送向き１６に搬送される。
【００２１】
［レジストセンサ１２０］
プリンタ部１１は、図２に示されるように、搬送ローラ部５４より搬送向き１６の上流側に、レジストセンサ１２０（第１センサの一例）を備える。レジストセンサ１２０は、当該レジストセンサ１２０の設置位置（検知位置の一例）に用紙１２が存在することを検知するためのセンサである。レジストセンサ１２０は、用紙１２が設置位置に存在していることに応じて、ローレベル信号（検知信号の一例であって、「信号レベルが閾値未満の信号」を指す。）を後述する制御部１３０に出力する。一方、レジストセンサ１２０は、用紙１２が設置位置に存在していないことに応じて、ハイレベル信号（「信号レベルが閾値以上の信号」を指す。）を制御部１３０（図４参照）に出力する。以下、レジストセンサ１２０からローレベル信号が出力されている状態を「レジアクティブ状態」と表記し、レジストセンサ１２０からハイレベル信号が出力されている状態を「レジ非アクティブ状態」と表記する。
【００２２】
［ロータリエンコーダ１２１］
また、プリンタ部１１は、図４に示されるように、搬送ローラ６０の回転（換言すれば、搬送モータ１０２の回転駆動）に応じてパルス信号を発生させる公知のロータリエンコーダ１２１（第２センサの一例）を備える。ロータリエンコーダ１２１は、エンコーダディスクと、光学センサとを備える。エンコーダディスクは、搬送ローラ６０の回転と共に回転する。光学センサは、回転するエンコーダディスクを読み取ってパルス信号を生成し、生成したパルス信号を制御部１３０に出力する。
【００２３】
［記録部２４］
記録部２４は、図２に示されるように、搬送向き１６における搬送ローラ部５４及び排出ローラ部５５の間に配置されている。また、記録部２４は、上下方向７においてプラテン４２に対向するようにして配置されている。記録部２４は、キャリッジ２３と、記録ヘッド３９と、エンコーダセンサ３８Ａと、メディアセンサ１２２（センサの一例）とを備えている。また、キャリッジ２３からは、図３に示されるように、インクチューブ３２及びフレキシブルフラットケーブル３３が延出されている。インクチューブ３２は、インクカートリッジのインクを記録ヘッド３９に供給する。フレキシブルフラットケーブル３３は、制御部１３０が実装された制御基板と記録ヘッド３９とを電気的に接続する。
【００２４】
キャリッジ２３は、図３に示されるように、前後方向８に離間する位置において各々が左右方向９に延設されたガイドレール４３、４４に支持されている。キャリッジ２３は、ガイドレール４４に設けられた公知のベルト機構に連結されている。なお、このベルト機構は、キャリッジモータ１０３（図４参照）によって駆動される。つまり、キャリッジモータ１０３の駆動により周運動するベルト機構に接続されたキャリッジ２３は、左右方向９に沿う主走査方向へ往復移動することができる。また、キャリッジ２３は、キャリッジモータ１０３の正転によって右端から左端に向かうＦＷＤ向きに移動し、キャリッジモータ１０３の逆転によって左端から右端に向かうＲＶＳ向きに移動する。
【００２５】
記録ヘッド３９は、図２に示されるように、キャリッジ２３に搭載されている。記録ヘッド３９の下面には、複数のノズル４０が形成されている。記録ヘッド３９は、ノズル４０からインクを微小なインク滴として吐出する。キャリッジ２３が移動する過程において、プラテン４２に支持されている用紙１２に対して記録ヘッド３９がインク滴を吐出する。これにより、用紙１２に画像が記録される。記録ヘッド３９の下面のノズル面には、例えば、複数のノズル４０が配列されている。ノズル４０の具体的な数は特に限定されないが、例えば、前後方向８に沿って千鳥状に４２０個のノズル４０が配列されたノズル列が、左右方向９に４列並んでいる。各ノズル列に含まれるノズル４０は、ブラック、シアン、マゼンタ、イエローのいずれかのインクを吐出する。
【００２６】
なお、本実施形態における記録部２４は、キャリッジ２３がＦＷＤ向き或いはＲＶＳ向きに移動する過程で記録ヘッド３９にインクを吐出させる記録処理を、少なくとも１回、典型的には複数回繰り返すことによって、用紙１２に画像を記録する。また、本明細書では、１回の記録処理によって画像が記録される用紙１２の領域を単位領域と定義する。すなわち、用紙１２は、搬送向き１６において隣接する複数の単位領域に区画される。
【００２７】
また、ガイドレール４４には、左右方向９に延びる帯状のエンコーダストリップ３８Ｂが配置されている。エンコーダセンサ３８Ａは、エンコーダストリップ３８Ｂに対面する位置において、キャリッジ２３の下面に搭載されている。キャリッジ２３が移動する過程において、エンコーダセンサ３８Ａは、エンコーダストリップ３８Ｂを読み取ってパルス信号を生成し、生成したパルス信号を制御部１３０に出力する。エンコーダセンサ３８Ａ及びエンコーダストリップ３８Ｂは、図４に示されるキャリッジセンサ３８を構成する。
【００２８】
［プラテン４２］
プラテン４２は、図２に示されるように、搬送向き１６における搬送ローラ部５４及び排出ローラ部５５の間に配置されている。プラテン４２は、上下方向７において記録部２４に対向するようにして配置されており、搬送ローラ部５４によって搬送される用紙１２を下側から支持する。本実施形態におけるプラテン４２の光反射率は、用紙１２より低く設定されている。
【００２９】
［メディアセンサ１２２］
メディアセンサ１２２は、図２に示されるように、キャリッジ２３の下面（プラテン４２に対向する面）においてキャリッジ２３に搭載されている。メディアセンサ１２２は、発光ダイオード等からなる発光部と、光学式センサなどからなる受光部とを備えている。発光部は、制御部１３０によって指示された光量の光をプラテン４２へ向けて照射する。発光部から照射された光は、プラテン４２或いはプラテン４２に支持された用紙１２において反射され、反射された光が受光部で受光される。メディアセンサ１２２は、受光部の受光量に応じた検知信号を制御部１３０へ出力する。例えば、メディアセンサ１２２は、受光量が大きい程、レベルの高い検知信号を制御部１３０へ出力する。
【００３０】
［通信部１４］
複合機１０は、図４に示されるように、通信部１４を備える。通信部１４は、通信ネットワークを通じて外部装置１５０（図７参照）と通信を行うためのインタフェースである。外部装置１５０の具体例は特に限定されないが、例えば、ＰＣ（Ｐｅｒｓｏｎａｌ  Ｃｏｍｐｕｔｅｒ）、スマートフォン、タブレット端末等である。また、通信ネットワークの具体例は特に限定されないが、例えば、有線ＬＡＮ（Ｌｏｃａｌ  Ａｒｅａ  Ｎｅｔｗｏｒｋの略）、無線ＬＡＮ、ＷＡＮ（Ｗｉｄｅ  Ａｒｅａ  Ｎｅｔｗｏｒｋの略）、或いはこれらの組み合わせであってもよい。また、通信部１４は、外部装置と直接接続されるＵＳＢ（Ｕｎｉｖｅｒｓａｌ  Ｓｅｒｉａｌ  Ｂｕｓ）等のケーブルを接続するインタフェースであってもよい。
【００３１】
［制御部１３０］
制御部１３０は、図４に示されるように、ＣＰＵ１３１、ＲＯＭ１３２、ＲＡＭ１３３、ＥＥＰＲＯＭ１３４、及びＡＳＩＣ１３５を備えており、これらは内部バス１３７によって接続されている。ＲＯＭ１３２には、ＣＰＵ１３１が各種動作を制御するためのプログラムなどが格納されている。ＲＡＭ１３３は、ＣＰＵ１３１が上記プログラムを実行する際に用いるデータや信号等を一時的に記録する記憶領域、或いはデータ処理の作業領域として使用される。ＥＥＰＲＯＭ１３４には、電源オフ後も保持すべき設定やフラグ等が格納される。
【００３２】
ＡＳＩＣ１３５には、搬送モータ１０２及びキャリッジモータ１０３が接続されている。ＡＳＩＣ１３５は、各モータを回転させるための駆動信号を生成し、この駆動信号を基に各モータを制御する。各モータは、ＡＳＩＣ１３５からの駆動信号によって正転又は逆転する。例えば、制御部１３０は、搬送モータ１０２の駆動を制御して各ローラを駆動させる。また、制御部１３０は、キャリッジモータ１０３の駆動を制御してキャリッジ２３を往復移動させる。また、制御部１３０は、記録ヘッド３９を制御してノズル４０からインクを吐出させる。さらに、制御部１３０は、通信部１４を通じて外部装置から記録指示を取得する。
【００３３】
また、ＡＳＩＣ１３５には、キャリッジセンサ３８と、レジストセンサ１２０と、ロータリエンコーダ１２１と、メディアセンサ１２２とが接続されている。制御部１３０は、キャリッジセンサ３８から出力されるパルス信号に基づいて、キャリッジ２３の位置を検知する。また、制御部１３０は、レジストセンサ１２０から出力される検知信号と、ロータリエンコーダ１２１から出力されるパルス信号とに基づいて、用紙１２の位置を検知する。さらに、制御部１３０は、メディアセンサ１２２から出力される検知信号に基づいて、用紙１２の左右方向９の端部位置を検出する。
【００３４】
［画像記録処理］
図５〜図８を参照して、複合機１０による画像記録処理を説明する。この画像記録処理は、制御部１３０のＣＰＵ１３１によって実行される。なお、以下の各処理は、ＲＯＭ１３２に記憶されているプログラムをＣＰＵ１３１が読み出して実行してもよいし、制御部１３０に搭載されたハードウェア回路によって実現されてもよい。なお、画像記録処理は、給送ローラ２５、搬送ローラ６０、及び排出ローラ６２の回転、或いはキャリッジ２３の移動に着目して説明する。これらの動作は、前述したように、搬送モータ１０２及びキャリッジモータ１０３を駆動させることによって実現される。
【００３５】
図５に示される画像記録処理は、複合機１０に記録指示が入力されたことに応じて開始される。また、制御部１３０は、画像記録処理をする際に、後述する幅不一致フラグ及び長さ不一致フラグに”ＯＦＦ”を設定する。記録指示は、画像データで示される画像を用紙１２に記録する記録処理を複合機１０に実行させるための指示である。記録指示の取得先は特に限定されないが、例えば、通信部１４を通じて外部装置１５０（図７（Ａ）参照）から取得してもよいし、複合機１０に設けられた操作部を通じて取得してもよい。記録指示を取得する処理は、第１取得処理の一例である。
【００３６】
記録指示は、図７（Ａ）に示されるように、制御情報と画像データとを含む。制御情報は、縁無し印刷フラグと、第１シートサイズ情報とを含む。縁無し印刷フラグは、記録指示に従った画像記録処理が所謂縁無し印刷であることを示す情報である。第１シートサイズ情報は、画像データで示される画像が記録されるべき用紙１２のサイズを示す情報である。画像データは、インク滴を着弾させる着弾位置を示すデータである。また、画像データは、各々が単位領域に記録される単位画像を示す複数の単位画像データ（図７（Ａ）の例では、Ｎ個）に区分されている。そこで、制御部１３０は、制御情報を取得したことに応じて画像記録処理を開始すると共に、取得した複数の単位画像データを画像メモリ（ＲＡＭ１３３或いはＥＥＰＲＯＭ１３４）に記憶させる。
【００３７】
画像データは、図７（Ｂ）に示されるように、第１シートサイズのシート領域１５１、及びシート領域１５１の外側のはみ出し領域１５２それぞれの着弾位置を示す。また、はみ出し領域１５２は、下流側領域１５３、幅側領域１５４、１５５、及び上流側領域１５６を含む。下流側領域１５３は、搬送向き１６におけるシート領域１５１の下流側に隣接する領域である。幅側領域１５４、１５５は、主走査方向（幅方向の一例）においてシート領域１５１と隣接する領域である。上流側領域１５６は、搬送向き１６におけるシート領域１５１の上流側に隣接する領域である。
【００３８】
なお、シート領域１５１とは、当該画像データで示される画像を第１シートサイズの用紙１２に記録したと仮定した場合に、当該用紙１２上に記録される画像の領域を指す。すなわち、後述する記録処理において、シート領域１５１の各着弾位置へ向けて吐出されたインク滴は、第１シートサイズの用紙１２上の対応する位置に着弾する。一方、はみ出し領域１５２とは、当該画像データで示される画像を第１シートサイズの用紙１２に記録したと仮定した場合に、当該用紙１２上に記録されない画像を指す。すなわち、後述する記録処理において、はみ出し領域１５２の各着弾位置へ向けて吐出されたインク滴は、第１シートサイズの用紙１２の周辺（典型的には、プラテン４２）に着弾し、後述の第２シートサイズの用紙１２上の対応する位置に着弾する。
【００３９】
なお、図７（Ｂ）の例において、破線で囲まれた各領域は各インク滴が着弾する領域（以下、「ドット」と表記する。）を示す。また、ハッチングされたドットは着弾位置を示し、白抜きのドットはインク滴が着弾されない位置（以下、「非着弾位置」と表記する。）を示す。なお、本実施形態では、ハッチングの種類は考慮されない。図７（Ｂ）では画像データに含まれるドットの数を簡略化して図示しているが、例えば、単位画像データに含まれる前後方向８のドット数は４２０、下流側領域１５３及び上流側領域１５６に含まれる前後方向８のドット数は５７、幅側領域１５４、１５５に含まれる左右方向９のドット数は５７である。一方、シート領域１５１に含まれる前後方向８及び左右方向９のドット数は、第１シートサイズによって異なる。
【００４０】
まず、制御部１３０は、頭出し処理を実行する（Ｓ１１）。頭出し処理は、最初に画像が記録される単位領域が記録ヘッド３９に対面する位置に到達するまで、給送トレイ２０に支持された用紙１２を給送ローラ２５、搬送ローラ部５４、及び排出ローラ部５５に搬送させる処理である。具体的には、制御部１３０は、用紙１２の先端（「搬送向き１６の下流側の端部」を指す。）が搬送ローラ部５４に到達するまで、給送ローラ２５を正回転させる。次に、制御部１３０は、最初に画像が記録される単位領域が記録ヘッド３９に対面する位置に到達するまで、搬送ローラ６０及び排出ローラ６２を正回転させる。なお、給送トレイ２０に支持された用紙１２のサイズは、第２シートサイズの一例である。
【００４１】
なお、用紙１２の先端の位置は、レジストセンサ１２０からの信号の変化と、ロータリエンコーダ１２１からのパルス信号との組み合わせによって特定される。また、制御部１３０は、レジ非アクティブ状態からレジアクティブ状態に変化した時点からのパルス信号の数をカウントする。また制御部１３０は、このカウント値をＲＡＭ１３３或いはＥＥＰＲＯＭ１３４に記憶させる。このカウント値は、当該用紙１２に対する頭出し処理及び搬送処理（Ｓ２０）におけるカウント値の累積値であって、新たな用紙１２に対する頭出し処理が実行されるタイミングで初期化される。パルス信号をカウントする処理は、第２シートサイズを取得する第２取得処理の一例である。
【００４２】
また、制御部１３０は、縁無し印刷フラグを含む記録指示に対する頭出し処理（Ｓ１１）において、用紙１２の先端が特定の位置に到達するまで、当該用紙１２を給送ローラ２５及び搬送ローラ部５４に搬送させる。特定の位置とは、用紙１２の先端と、シート領域１５１の搬送向き１６の下流側端部に向けてインク滴を吐出するノズル４０とが対面する位置である。例えば、各ノズル列の搬送向き１６の下流側の３つのノズル４０が下流側領域１５３へインク滴を吐出する場合、用紙１２の先端は、搬送向き１６の下流側から数えて３つ目のノズル４０と４つ目のノズル４０との間に対面する位置まで、頭出し処理によって搬送される。
【００４３】
次に、制御部１３０は、幅検出処理を実行する（Ｓ１２）。幅検出処理は、頭出し処理によって記録ヘッド３９に対面する用紙１２の左右方向９の端部位置を検出する処理である。具体的には、制御部１３０は、メディアセンサ１２２の発光部から光を照射した状態でキャリッジ２３を左右方向９に移動させる。そして、制御部１３０は、メディアセンサ１２２から出力される検知信号の変化量が閾値変化量以上となる位置を、用紙１２の端部位置として検出する。端部位置は、例えば、キャリッジセンサ３８のエンコーダ値によって特定されればよい。ステップＳ１２の処理は、第２取得処理の他の例である。
【００４４】
次に、制御部１３０は、第１シートサイズの左右方向９の長さ（以下、「第１用紙幅」と表記する）が、第２シートサイズの左右方向９の長さ（以下、「第２用紙幅」と表記する。）より長いことに応じて（Ｓ１３：Ｙｅｓ）、ステップＳ１４の処理に進む。制御部１３０は、給送トレイ２０に正しいサイズの用紙１２をセットすることを報知（Ｓ１４）した後、画像記録処理を終了する。報知の具体的な方法は特に限定されないが、例えば、複合機１０に設けられた表示部にメッセージ或いはアニメーションを表示してもよいし、スピーカ（不図示）からガイド音声を出力してもよい。
【００４５】
一方、制御部１３０は、第２用紙幅が第１用紙幅より長いことに応じて（Ｓ１３：Ｎｏ＆Ｓ１５：Ｙｅｓ）、幅不一致フラグに”ＯＮ”を設定する（Ｓ１６）。また、制御部１３０は、第１用紙幅と第２用紙幅とが一致することに応じて（Ｓ１３：Ｎｏ＆Ｓ１５：Ｎｏ）、ステップＳ１６の処理を実行することなく、後述のインクサイズ決定処理を実行する（Ｓ１７）する。
【００４６】
例えば、制御情報に含まれる第１シートサイズが「Ａ４」、「Ｂ５」等のＪＩＳ規格に定められた用紙１２のサイズ（以下、「定型サイズ」と表記する。）である場合、制御部１３０は、ＲＯＭ１３２或いはＥＥＰＲＯＭ１３４に記憶された各サイズの左右方向９の長さのうちから、第１シートサイズに対応する第１用紙幅を取得することができる。また、制御部１３０は、例えば、幅検出処理において検出された用紙１２の左右の端部位置に対応するエンコーダ値の差に基づいて、第２用紙幅を取得することができる。
【００４７】
インクサイズ決定処理（Ｓ１７）は、次に実行される記録処理（Ｓ１８）において、単位画像データに示される各着弾位置へ吐出するインク滴の大きさを決定する処理である。ステップＳ１７の処理は、決定処理の一例である。本実施形態におけるインク滴の大きさは、小玉（第１インクサイズの一例であって、図８では”０１”と表記する。）、及び小玉より大きい大玉（第２インクサイズの一例であって、図８では”１１”と表記する。）の２通りである。また、図８において、インク滴が吐出されないドットは”００”で示される。インクサイズ決定処理の詳細は、後述する。
【００４８】
次に、制御部１３０は、記録処理を実行する（Ｓ１８）。記録処理は、キャリッジ２３をＦＷＤ向き或いはＲＶＳ向きの一方に移動させ、且つ各着弾位置へインク滴を記録ヘッド３９に吐出させる処理である。すなわち、１回の記録処理において、単位画像データで示される単位画像が用紙１２の単位領域に記録される。また、制御部１３０は、記録処理において、インクサイズ決定処理（Ｓ１６）において決定した大きさのインク滴を各着弾位置へ吐出する。
【００４９】
次に、制御部１３０は、当該用紙１２に対する画像記録が未だ終了していないことを条件として（Ｓ１９：Ｎｏ）、搬送処理を実行する（Ｓ２０）。搬送処理は、予め定められた所定の改行幅だけ用紙１２を搬送向き１６に搬送する処理である。具体的には、制御部１３０は、搬送ローラ部５４及び排出ローラ部５５に、用紙１２を所定の改行幅だけ搬送向き１６に搬送させる。また、制御部１３０は、前述したように、搬送処理の過程でロータリエンコーダ１２１から出力されるパルス信号をカウントする。
【００５０】
そして、制御部１３０は、搬送処理の過程において、カウント値が閾値数未満であり、且つレジ非アクティブ状態であることに応じて（Ｓ２１：Ｙｅｓ）、ステップＳ１４の処理を実行する。なお、閾値数は、第１シートサイズの前後方向８の長さに相当するパルス信号の数を示す。すなわち、閾値数は、記録指示に含まれる第１シートサイズに応じて決定される。そして、カウント値が閾値数未満であり、且つレジ非アクティブ状態である場合とは、以下の場合を示す。つまり、第１シートサイズの前後方向８の長さ（以下、「第１用紙長さ」と表記する。）が、第２シートサイズの前後方向８の長さ（以下、「第２用紙長さ」と表記する。）より長い場合を示している。
【００５１】
また、制御部１３０は、カウント値が閾値数を上回り、且つレジアクティブ状態であることに応じて（Ｓ２１：Ｎｏ＆Ｓ２２：Ｙｅｓ）、長さ不一致フラグに”ＯＮ”を設定（Ｓ２３）し、インクサイズ決定処理（Ｓ１７）を実行する。インクサイズ決定処理（Ｓ１７）は、次の単位画像データに対するインク滴の大きさを決定する処理である。そして、制御部１３０は、インクサイズ決定処理（Ｓ１７）で決定したインク滴の大きさで記録処理（Ｓ１８）を実行する。カウント値が閾値数を上回り、且つレジアクティブ状態である場合とは、第２用紙長さが第１用紙長さより長いことを示している。さらに、カウント値及びレジストセンサ１２０から出力される信号の組み合わせがステップＳ２１、Ｓ２２以外の場合、制御部１３０は、ステップＳ２３の処理を実行することなく、ステップＳ１７以降の処理を再び実行する。
【００５２】
制御部１３０は、用紙１２に対する画像記録が終了するまで（Ｓ１９：Ｙｅｓ）、ステップＳ１７〜Ｓ２３の処理を繰り返し実行する。そして、制御部１３０は、用紙１２に対する画像記録が終了したことを条件として（Ｓ１９：Ｙｅｓ）、用紙１２を排出トレイ２１に排出する排出処理を実行する（Ｓ２４）。具体的には、制御部１３０は、用紙１２が排出トレイ２１に排出されるまで搬送モータ１０２を正転させる。制御部１３０は、記録指示に含まれる全ての画像を記録するまで（Ｓ２５：Ｙｅｓ）、ステップＳ１１〜Ｓ２４を繰り返し実行する。そして、制御部１３０は、記録指示に含まれる全ての画像を記録したことに応じて（Ｓ２５：Ｎｏ）、画像記録処理を終了する。
【００５３】
次に、図６及び図８を参照して、インクサイズ決定処理を詳しく説明する。なお、本実施形態では、シート領域１５１の全ての着弾位置へ吐出されるインク滴のサイズは小玉に決定されるものとし、以下、はみ出し領域１５２の各着弾位置へ吐出されるインク滴のサイズを決定する処理について説明する。すなわち、図８に示されるように、シート領域１５１の各着弾位置に”０１”がセットされ、シート領域１５１の各非着弾位置に”００”がセットされる。
【００５４】
まず、制御部１３０は、画像メモリに記憶された１以上の単位画像データのうち、次の記録処理で用いる単位画像データを読み出す（Ｓ３１）。次に、制御部１３０は、読み出した単位画像データに下流側領域１５３が含まれることに応じて（Ｓ３２：Ｙｅｓ）、当該下流側領域１５３の各着弾位置へ吐出するインク滴のサイズを大玉に決定する（Ｓ３３）。例えば、ステップＳ３１において図７（Ｂ）に示される単位画像データ（１／Ｎ）が読み出された場合、図８（Ａ）及び図８（Ｂ）に示されるように、下流側領域１５３の各着弾位置に”１１”がセットされ、下流側領域１５３の各非着弾位置に”００”がセットされる。
【００５５】
また、制御部１３０は、読み出した単位画像データに上流側領域１５６が含まれており（Ｓ３２：Ｎｏ＆Ｓ３４：Ｙｅｓ）、且つ長さ不一致フラグに”ＯＮ”が設定されていることに応じて（Ｓ３５：Ｙｅｓ）、当該上流側領域１５６の各着弾位置へ吐出するインク滴のサイズを小玉に決定する（Ｓ３６）。例えば、ステップＳ３１において図７（Ｂ）に示される単位画像データ（Ｎ／Ｎ）が読み出され、且つ長さ不一致フラグに”ＯＮ”が設定されていれば、図８（Ｃ）に示されるように、上流側領域１５６の各着弾位置に”０１”がセットされ、上流側領域１５６の各非着弾位置に”００”がセットされる。
【００５６】
また、制御部１３０は、読み出した単位画像データに上流側領域１５６が含まれており（Ｓ３２：Ｎｏ＆Ｓ３４：Ｙｅｓ）、且つ長さ不一致フラグに”ＯＦＦ”が設定されていることに応じて（Ｓ３５：Ｎｏ）、当該上流側領域１５６の各着弾位置へ吐出するインク滴のサイズを大玉に設定する（Ｓ３７）。例えば、ステップＳ３１において図７（Ｂ）に示される単位画像データ（Ｎ／Ｎ）が読み出され、且つ長さ不一致フラグに”ＯＦＦ”が設定されていれば、図８（Ｄ）に示されるように、上流側領域１５６の各着弾位置に”１１”がセットされ、上流側領域１５６の各非着弾位置に”００”がセットされる。
【００５７】
さらに、制御部１３０は、読み出した単位画像データに下流側領域１５３及び上流側領域１５６のどちらもが含まれていないことに応じて（Ｓ３２：Ｎｏ＆Ｓ３４：Ｎｏ）、ステップＳ３３、Ｓ３５〜Ｓ３７の処理を実行することなく、ステップＳ３８の処理に進む。この場合に読出された単位画像データは、例えば、図７（Ｂ）に示される単位画像データ（２／Ｎ）である。
【００５８】
次に、制御部１３０は、幅不一致フラグに”ＯＮ”が設定されていることに応じて（Ｓ３８：Ｙｅｓ）、幅側領域１５４、１５５の各着弾位置へ吐出するインク滴のサイズを小玉に設定する（Ｓ３９）。一方、制御部１３０は、幅不一致フラグに”ＯＦＦ”が設定されていることに応じて（Ｓ３８：Ｎｏ）、幅側領域１５４、１５５の各着弾位置へ吐出するインク滴のサイズを大玉に設定する（Ｓ４０）。なお、ステップＳ３８〜Ｓ４０の処理は、全ての単位画像データに対して実行される。
【００５９】
一例として、幅不一致フラグに”ＯＮ”が設定されていれば、図８（Ａ）及び図８（Ｃ）に示されるように、幅側領域１５４、１５５の各着弾位置に”０１”がセットされ、幅側領域１５４の各非着弾位置に”００”がセットされる。他の例として、幅不一致フラグに”ＯＦＦ”が設定されていれば、図８（Ｂ）及び図８（Ｄ）に示されるように、幅側領域１５４、１５５の各着弾位置に”１１”がセットされ、幅側領域１５４の各非着弾位置に”００”がセットされる。
【００６０】
［本実施形態の作用効果］
上記の実施形態によれば、第１シートサイズ及び第２シートサイズが一致する場合、すなわち、はみ出し領域１５２へ吐出されるインク滴が用紙１２の外に着弾する場合、はみ出し領域１５２のインク滴サイズをシート領域１５１のインク滴サイズより大きくする。これにより、はみ出し領域１５２へ吐出されたインク滴のミスト化を抑制することができる。但し、はみ出し領域１５２の全ての着弾位置のインク滴サイズを大玉にしなくてもよく、一部が小玉であってもよい。一方、第２シートサイズが第１シートサイズより大きい場合、すなわち、はみ出し領域１５２へ吐出されるインク滴の大部分が用紙１２に着弾する場合、シート領域１５１及びはみ出し領域１５２へ吐出されるインク滴サイズを合わせる。これにより、シート領域１５１とはみ出し領域１５２との境界が目立つのを抑制することができる。
【００６１】
なお、本実施形態では、はみ出し領域１５２を構成する下流側領域１５３、幅側領域１５４、１５５、及び上流側領域１５６それぞれの着弾位置へ吐出するインク滴の大きさを独立して決定している。これにより、定型サイズと異なる用紙１２が給送トレイ２０にセットされた場合でも、前後方向８及び左右方向９における用紙１２のサイズに応じた適切な大きさのインク滴を各着弾位置に着弾させることができる。
【００６２】
まず、下流側領域１５３へ吐出されるインク滴が用紙１２に着弾しないように、頭出し処理において用紙１２の先端位置が調整される。そこで、制御部１３０は、第１シートサイズ及び第２シートサイズの大小関係にかかわらず、常に下流側領域１５３へ向けて大玉のインク滴を記録ヘッド３９に吐出させればよい。
【００６３】
また、第１用紙幅と第２用紙幅とが一致する場合、幅側領域１５４、１５５へ吐出されるインク滴は用紙１２に着弾しない。この場合の制御部１３０は、幅側領域１５４、１５５へ向けて大玉のインク滴を記録ヘッド３９に吐出させればよい。一方、第２用紙幅が第１用紙幅より大きい場合、幅側領域１５４、１５５へ吐出されるインク滴の大部分は用紙１２に着弾する。この場合の制御部１３０は、幅側領域１５４、１５５へ向けて小玉のインク滴を記録ヘッド３９に吐出させればよい。
【００６４】
さらに、第１用紙長さと第２用紙長さとが一致する場合、上流側領域１５６へ吐出されるインク滴は用紙１２に着弾しない。この場合の制御部１３０は、上流側領域１５６へ向けて大玉のインク滴を記録ヘッド３９に吐出させればよい。一方、第２用紙長さが第１用紙長さより大きい場合、上流側領域１５６へ吐出されるインク滴の大部分は用紙１２に着弾する。この場合の制御部１３０は、上流側領域１５６へ向けて小玉のインク滴を記録ヘッド３９に吐出させればよい。
【００６５】
なお、上記の実施形態では、メディアセンサ１２２を用いて第２用紙幅を取得し、レジストセンサ１２０及びロータリエンコーダ１２１を用いて第２用紙長さを取得した例を説明した。このように、既存の複合機１０に搭載されているセンサを用いて第２シートサイズを取得することにより、新たなセンサを設けなくても前述の目的を達成することができる。但し、第２シートサイズの取得方法は上記の例に限定されない。例えば、複合機１０は、給送トレイ２０に支持された用紙１２のサイズを検知するトレイセンサを備えてもよい。そして、制御部１３０は、トレイセンサから第２シートサイズを取得してもよい。これにより、頭出し処理の実行前に第２シートサイズを取得することができるので、画像記録処理のスループットが向上する。
【００６６】
また、上記の実施形態では、シート領域１５１及びはみ出し領域１５２の各着弾位置を示す画像データを外部装置１５０から取得し、第１シートサイズ及び第２シートサイズの大小関係に応じて、各着弾位置へ吐出するインク滴の大きさを決定する例を説明した。すなわち、上記の実施形態において、記録指示に含まれる画像データは、例えばＪＰＥＧ（Ｊｏｉｎｔ  Ｐｈｏｔｏｇｒａｐｈｉｃ  Ｅｘｐｅｒｔｓ  Ｇｒｏｕｐ）形式等でもよい。しかしながら、はみ出し領域１５２の各着弾位置へ吐出されるインク滴の大きさを決定する方法は、これに限定されない。
【００６７】
例えば、制御部１３０は、シート領域１５１の各着弾位置に”０１”（すなわち、小玉）がセットされ、はみ出し領域１５２の各着弾位置に”１１”（すなわち、大玉）がセットされた画像データ（すなわち、図８（Ａ）及び図８（Ｃ）に示される画像データ）を、通信部１４を通じて外部装置１５０から取得してもよい。そして、制御部１３０は、第１シートサイズと第２シートサイズとが一致することに応じて、当該画像データで示される大きさのインク滴を記録ヘッド３９に吐出させる。一方、制御部１３０は、第２シートサイズが第１シートサイズより大きいことに応じて、画像データで示されるはみ出し領域１５２のインク滴の大きさを小玉（すなわち、図８（Ｂ）及び図８（Ｄ））に補正して、記録ヘッド３９に吐出させる。
【００６８】
さらに、本実施形態では、通信部１４を通じて外部装置から画像データを取得する例を説明したが、本発明はこれに限定されない。例えば、複合機１０に設けられたスキャナで読みとられた画像データを取得してもよいし、複合機１０に設けられたメディア装着部に装着された記録メディアから画像データを取得してもよい。記録メディアの具体例は特に限定されないが、例えば、ＵＳＢメモリ等の可搬記録メディアであってもよい。
【００６９】
［変形例］
図９及び図１０を参照して、変形例に係る画像記録処理を説明する。なお、上記の実施形態との共通点の詳しい説明は省略し、相違点を中心に説明する。また、上記の実施形態及び変形例は、本発明の趣旨を逸脱しない範囲で任意に組み合わせることができるものとする。
【００７０】
まず、変形例に係る外部装置１５０は、例えば図７（Ｂ）に示される画像データに基づいて、各着弾位置へ向けて吐出するインク滴の大きさを示すサイズ情報を含む第１画像データを生成する（Ｓ４１）。ステップＳ４１の処理は、生成処理の一例である。そして、外部装置１５０は、第１シートサイズ及び第１画像データを含む記録指示を、通信部（不図示）を通じて複合機１０に出力する（Ｓ４２）。ステップＳ４２の処理は、出力処理の一例である。
【００７１】
なお、外部装置１５０は、ステップＳ４１において、シート領域１５１の各着弾位置へ吐出するインク滴の大きさを、当該着弾位置に記録される画像の濃度に応じたサイズに決定する。一方、外部装置１５０は、はみ出し領域１５２の各着弾位置へ吐出するインク滴の大きさを、大玉に決定する。すなわち、第１画像データは、第１シートサイズと第２シートサイズとが一致する場合に用紙１２に記録される画像を示す。図１０（Ａ）及び図１０（Ｃ）は、第１画像データの一例である。
【００７２】
例えば、第１濃度未満の画像が記録されるシート領域１５１内の着弾位置（図７（Ｂ）において、斜線ハッチングで示される着弾位置）へ吐出されるインク滴は、小玉（図１０（Ａ）及び図１０（Ｃ）において”０１”で示される）に決定される。一方、第１濃度以上の画像が記録されるシート領域１５１内の着弾位置（図７（Ｂ）において、格子ハッチングで示される着弾位置）へ吐出されるインク滴は、大玉（図１０（Ａ）及び図１０（Ｃ）において”１１”で示される）に決定される。
【００７３】
制御部１３０は、通信部１４を通じて外部装置１５０から記録指示を取得したことに応じて、第１シートサイズ及び第２シートサイズを比較する（Ｓ４３）。そして、制御部１３０は、第２シートサイズが第１シートサイズより大きいことに応じて（Ｓ４３：Ｙｅｓ）、通信部１４を通じて外部装置１５０にサイズ不一致指示を出力する（Ｓ４４）。サイズ不一致指示は、第２シートサイズが第１シートサイズより大きいことを、外部装置１５０に認識させるための指示である。
【００７４】
外部装置１５０は、通信部を通じて複合機１０からサイズ不一致指示を取得したことに応じて、第２画像データを生成する（Ｓ４５）。ステップＳ４５の処理は、生成処理の他の例である。そして、外部装置１５０は、通信部を通じて複合機１０に第２画像データを出力する（Ｓ４６）。ステップＳ４６の処理は、出力処理の他の例である。
【００７５】
なお、第２画像データは、サイズ情報を含む点において第１画像データと共通し、サイズ情報の決定方法が第１画像データの場合と相違する。具体的には、外部装置１５０は、シート領域１５１及びはみ出し領域１５２（より具体的には、幅側領域１５４、１５５及び上流側領域１５６）の各着弾位置へ吐出するインク滴の大きさを、当該着弾位置に記録される画像の濃度に応じたサイズに決定する。図１０（Ｂ）及び図１０（Ｄ）は、第２画像データの一例である。すなわち、シート領域１５１内の各着弾位置へ吐出されるインク滴の大きさは、第１画像データと第２画像データとで共通する。
【００７６】
一方、第１濃度未満の画像が記録される幅側領域１５４、１５５及び上流側領域１５６内の着弾位置（図７（Ｂ）において、斜線ハッチングで示される着弾位置）へ吐出されるインク滴は、小玉（図１０（Ｂ）及び図１０（Ｄ）において”０１”で示される）に決定される。一方、第１濃度以上の画像が記録される幅側領域１５４、１５５及び上流側領域１５６内の着弾位置（図７（Ｂ）において、格子ハッチングで示される着弾位置）へ吐出されるインク滴は、大玉（図１０（Ｂ）及び図１０（Ｄ）において”１１”で示される）に決定される。但し、記録処理（Ｓ４７）において用紙１２の外側となる下流側領域１５３内の各着弾位置へ吐出されるインク滴の大きさは、大玉（図１０（Ｂ）及び図１０（Ｄ）において”１１”で示される）に決定される。
【００７７】
制御部１３０は、通信部１４を通じて外部装置１５０から第２画像データを取得したことに応じて、当該第２画像データで示される画像を用紙１２に記録する記録処理を実行する（Ｓ４７）。一方、制御部１３０は、第１シートサイズと第２シートサイズとが一致することに応じて（Ｓ４３：Ｎｏ）、ステップＳ４４〜Ｓ４６をスキップして、第１画像データで示される画像を用紙１２に記録する記録処理を実行する（Ｓ４７）。なお、変形例に係る記録処理は、例えば、図５に示されるステップＳ１２、Ｓ１８、Ｓ１９、Ｓ２０、Ｓ２４、Ｓ２５等を含む。
【００７８】
上記の変形例によれば、上記の実施形態の効果に加えて、用紙１２に記録された画像の濃淡が強調される。なお、上記の変形例において、インク滴の大きさは２通りに限定されない。例えば、第１濃度未満の画像が記録される着弾位置に小玉のインク滴を吐出し、第１濃度以上で且つ第２濃度未満の画像が記録される着弾位置に中玉（小玉より大きく、大玉より小さい）のインク滴を吐出し、第２濃度以上の画像が記録される着弾位置に大玉のインク滴を吐出してもよい。また、上記の変形例に係る外部装置１５０は、第１画像データを記録指示に含めて複合機１０に出力し、サイズ不一致指示を取得したことに応じて第２画像データを複合機１０に出力しているが、処理手順はこれに限定されない。
【００７９】
例えば、外部装置１５０は、第１シートサイズを含み且つ画像データを含まない記録指示を、通信部を通じて複合機１０に出力する。次に、制御部１３０は、第１シートサイズ及び第２シートサイズが一致することに応じて、通信部１４を通じて外部装置１５０にサイズ一致指示を出力する。一方、制御部１３０は、第２シートサイズが第１シートサイズより大きいことに応じて、通信部１４を通じて外部装置１５０にサイズ不一致指示を出力する。次に、外部装置１５０は、サイズ一致指示を取得したことに応じて、通信部を通じて複合機１０に第１画像データを出力する。一方、外部装置１５０は、サイズ不一致指示を取得したことに応じて、通信部を通じて複合機１０に第２画像データを出力する。そして、制御部１３０は、取得した第１画像データ或いは第２画像データで示される画像を、用紙１２に記録する。
【符号の説明】
【００８０】
１０・・・複合機
１１・・・プリンタ部
２０・・・給送トレイ
２３・・・キャリッジ
２４・・・記録部
３９・・・記録ヘッド
４０・・・ノズル
５４・・・搬送ローラ部
５５・・・排出ローラ部
１２０・・・レジストセンサ
１２１・・・ロータリエンコーダ
１２２・・・メディアセンサ
１３０・・・制御部
１５０・・・外部装置
１５１・・・シート領域
１５２・・・はみ出し領域
１５３・・・下流側領域
１５４・・・幅側領域
１５５・・・幅側領域
１５６・・・上流側領域
【図１】
2015189073.tif 000003
【図２】
2015189073.tif 000004
【図３】
2015189073.tif 000005
【図４】
2015189073.tif 000006
【図５】
2015189073.tif 000007
【図６】
2015189073.tif 000008
【図７】
2015189073.tif 000009
【図８】
2015189073.tif 000010
【図９】
2015189073.tif 000011
【図１０】
2015189073.tif 000012